(57)【要約】【課題】印刷データの属性をページ単位で、印刷の都度行うことなく、効率的な分散印刷処理を実現することのできる分散印刷方法および装置並びに画像読取装置を提供する。【解決手段】画像読取部１２が原稿を読み取って画像を生成する際に、属性判定部１３が当該画像がカラーであるかモノクロであるかといった属性を判定する。そして、判定された属性に基づいて、印刷データ生成部１６が、１以上の画像を含む印刷データを当該画像の属性毎に生成し、生成した１以上の印刷データを含めたジョブをジョブ生成部１６で生成する。【選択図】　　　　図２
2004094880.tif 000002
【特許請求の範囲】
【請求項１】
原稿を読み取って得た画像を複数の画像形成装置に分散して出力させる分散印刷方法において、
原稿を読み取って画像を生成する際に、該画像の属性を判定し、該判定した属性に基づいて該画像の出力先を決定することを特徴とする分散印刷方法。
【請求項２】
前記属性は、
該属性に対応する画像がカラー画像またはモノクロ画像であることを示す情報であることを特徴とする請求項１記載の分散印刷方法。
【請求項３】
複数の原稿を読み取って生成した各画像を前記属性毎に生成するファイルに格納することを特徴とする請求項２記載の分散印刷方法。
【請求項４】
前記ファイルに格納される画像は、
それぞれ原稿の連続するページに対応する画像であることを特徴とする請求項３記載の分散印刷方法。
【請求項５】
前記ファイルを該ファイルに対応する属性とともに保存し、該保存したファイルを該属性に基づいて決定される出力先に送出することを特徴とする請求項３記載の分散印刷方法。
【請求項６】
原稿を読み取って得た画像を複数の画像形成装置に分散して出力させる分散印刷装置において、
属性が付された画像を含むジョブを受け付けるジョブ受付手段と、
前記ジョブ受付手段が受け付けたジョブから前記属性を抽出する属性抽出手段と、
前記属性抽出手段が抽出した属性に基づいて、該属性に対応する画像の出力先を決定する出力先決定手段と、
前記出力先決定手段により決定された出力先に対応する画像を送出する画像送出手段と
を具備することを特徴とする分散印刷装置。
【請求項７】
前記属性は、
該属性に対応する画像がカラー画像またはモノクロ画像であることを示す情報であることを特徴とする請求項６記載の分散印刷装置。
【請求項８】
前記ジョブは、
前記属性毎に生成された少なくとも１つの画像を格納したファイルを少なくとも１つ含み、
前記属性抽出手段は、前記ファイルを単位として前記属性を抽出し、
前記出力先決定手段は、前記ファイルを単位として前記出力先を決定する
ことを特徴とする請求項７記載の分散印刷装置。
【請求項９】
前記ファイルに格納される画像は、
それぞれ原稿の連続するページに対応する画像であることを特徴とする請求項８記載の分散印刷装置。
【請求項１０】
前記ジョブにファイルが含まれていない場合に、該ジョブで指定された保存先から指定されたファイルと該ファイルに対応する属性とを取得するファイル取得手段をさらに具備することを特徴とする請求項８記載の分散印刷装置。
【請求項１１】
原稿を読み取って画像を生成する読取手段と、
前記読取手段により画像が生成される際に、該画像の属性を判定する属性判定手段と、
前記読取手段が生成した画像に前記属性判定手段が判定した属性を付して出力する画像出力手段と
を具備することを特徴とする画像読取装置。
【請求項１２】
前記属性は、
該属性に対応する画像がカラー画像またはモノクロ画像であることを示す情報であることを特徴とする請求項１１記載の画像読取装置。
【請求項１３】
前記読取手段が複数の原稿を読み取って生成した各画像を前記属性毎にファイルに格納するファイル生成手段をさらに具備することを特徴とする請求項１２記載の画像読取装置。
【請求項１４】
前記ファイル生成手段は、
それぞれ原稿の連続するページに対応する画像を前記ファイルに格納することを特徴とする請求項１３記載の画像読取装置。
【請求項１５】
前記画像出力手段は、
前記ファイル生成手段が生成したファイルを該ファイルに対応する属性とともに指定された保存先に保存することを特徴とする請求項１３記載の画像読取装置。
【発明の詳細な説明】
【０００１】
【発明の属する技術分野】
この発明は、分散印刷方法および装置並びに画像読取装置に関し、特に、画像の属性に基づいて出力先を決定する分散印刷方法および装置並びに画像読取装置に関する。
【０００２】
【従来の技術】
近年、複数のプリンタ等をネットワークを介して接続し、１つのジョブ（文書）を複数のプリンタから分散して出力する分散印刷が行われる機会が増大してきている。
【０００３】
分散印刷には、複数のプリンタの負荷を均等とすることを目的とするものや、処理を分散することによる高速出力を目的とするもの等様々なものがあり、この他にもプリンタの機能に応じた出力を行うことで、コストの低減等を図ることも目的とするものもある。例えば、１つのジョブにカラーのページとモノクロのページが混在している場合、カラーのページをカラープリンタ、モノクロのページをモノクロプリンタで印刷することで、コストの低減や高速処理を実現するようにしている。
【０００４】
このような分散印刷を行う技術としては、例えば、特開２０００−１１２６８８号公報に記載の「画像形成システム」や特開２０００−１１２７０２号公報に記載の「画像形成システム」等がある。これらは、印刷するデータがカラーであるか白黒であるかをページ単位で判定し、必要に応じてカラープリンタと白黒プリンタに分割して印刷を行うようにしている。
【０００５】
【発明が解決しようとする課題】
しかしながら、従来の技術では、印刷データの属性をページ単位で判定していたため、多数ページの文書を印刷する際には、属性の判定に多大な時間を要することがあった。
【０００６】
また、従来の技術では、一度保存した印刷データを用いて印刷、再印刷を行う場合でも、その都度、属性の判定を行う必要があり、非効率的な面を有していた。
【０００７】
そこで、この発明は、印刷データの属性をページ単位で、印刷の都度行うことなく、効率的な分散印刷処理を実現することのできる分散印刷方法および装置並びに画像読取装置を提供することを目的とする。
【０００８】
【課題を解決するための手段】
上述した目的を達成するため、請求項１の発明は、原稿を読み取って得た画像を複数の画像形成装置に分散して出力させる分散印刷方法において、原稿を読み取って画像を生成する際に、該画像の属性を判定し、該判定した属性に基づいて該画像の出力先を決定することを特徴とする。
【０００９】
また、請求項２の発明は、請求項１の発明において、前記属性は、該属性に対応する画像がカラー画像またはモノクロ画像であることを示す情報であることを特徴とする。
【００１０】
また、請求項３の発明は、請求項２の発明において、複数の原稿を読み取って生成した各画像を前記属性毎に生成するファイルに格納することを特徴とする。
【００１１】
また、請求項４の発明は、請求項３の発明において、前記ファイルに格納される画像は、それぞれ原稿の連続するページに対応する画像であることを特徴とする。
【００１２】
また、請求項５の発明は、請求項３の発明において、前記ファイルを該ファイルに対応する属性とともに保存し、該保存したファイルを該属性に基づいて決定される出力先に送出することを特徴とする。
【００１３】
また、請求項６の発明は、原稿を読み取って得た画像を複数の画像形成装置に分散して出力させる分散印刷装置において、属性が付された画像を含むジョブを受け付けるジョブ受付手段と、前記ジョブ受付手段が受け付けたジョブから前記属性を抽出する属性抽出手段と、前記属性抽出手段が抽出した属性に基づいて、該属性に対応する画像の出力先を決定する出力先決定手段と、前記出力先決定手段により決定された出力先に対応する画像を送出する画像送出手段とを具備することを特徴とする。
【００１４】
また、請求項７の発明は、請求項６の発明において、前記属性は、該属性に対応する画像がカラー画像またはモノクロ画像であることを示す情報であることを特徴とする。
【００１５】
また、請求項８の発明は、請求項７の発明において、前記ジョブは、前記属性毎に生成された少なくとも１つの画像を格納したファイルを少なくとも１つ含み、前記属性抽出手段は、前記ファイルを単位として前記属性を抽出し、前記出力先決定手段は、前記ファイルを単位として前記出力先を決定することを特徴とする。
【００１６】
また、請求項９の発明は、請求項８の発明において、前記ファイルに格納される画像は、それぞれ原稿の連続するページに対応する画像であることを特徴とする。
【００１７】
また、請求項１０の発明は、請求項８の発明において、前記ジョブにファイルが含まれていない場合に、該ジョブで指定された保存先から指定されたファイルと該ファイルに対応する属性とを取得するファイル取得手段をさらに具備することを特徴とする。
【００１８】
また、請求項１１の発明は、原稿を読み取って画像を生成する読取手段と、前記読取手段により画像が生成される際に、該画像の属性を判定する属性判定手段と、前記読取手段が生成した画像に前記属性判定手段が判定した属性を付して出力する画像出力手段とを具備することを特徴とする。
【００１９】
また、請求項１２の発明は、請求項１１の発明において、前記属性は、該属性に対応する画像がカラー画像またはモノクロ画像であることを示す情報であることを特徴とする。
【００２０】
また、請求項１３の発明は、請求項１２の発明において、前記読取手段が複数の原稿を読み取って生成した各画像を前記属性毎にファイルに格納するファイル生成手段をさらに具備することを特徴とする。
【００２１】
また、請求項１４の発明は、請求項１３の発明において、前記ファイル生成手段は、それぞれ原稿の連続するページに対応する画像を前記ファイルに格納することを特徴とする。
【００２２】
また、請求項１５の発明は、請求項１３の発明において、前記画像出力手段は、前記ファイル生成手段が生成したファイルを該ファイルに対応する属性とともに指定された保存先に保存することを特徴とする。
【００２３】
【発明の実施の形態】
以下、この発明に係る分散印刷方法および装置並びに画像読取装置の一実施の形態について、添付図面を参照して詳細に説明する。
【００２４】
図１は、この発明を適用した分散印刷システムのシステム構成の概略を示した図である。同図に示すように、分散印刷システムは、スキャナ１とプリントサーバ２、ファイルサーバ３、複数のプリンタ４（４−１〜４−ｎ）、クライアント５がネットワーク６に接続されて構成される。なお、プリントサーバ３は、必ずしも必要なものではなく、スキャナ１、プリントサーバ２、ファイルサーバ３、クライアント５は、それぞれ複数をネットワーク６に接続するように構成してもよい。
【００２５】
スキャナ１は、原稿を読み取って画像を生成し、印刷データを生成する。このとき、生成した各画像の属性を判定し、判定した属性に基づく属性情報と印刷データとでジョブを生成する。
【００２６】
プリントサーバ２は、スキャナ１が生成したジョブを実行するが、その実行に際して属性情報を抽出し、抽出した属性情報に基づいて印刷データの出力先となるプリンタ４を決定する。
【００２７】
ファイルサーバ３は、スキャナ１が生成した印刷データをその属性情報とともに保存し、保存した印刷データを印刷処理、再印刷処理に利用させる。
【００２８】
プリンタ４は、それぞれ印刷データに基づいて印刷処理を行うもので、カラー印刷が可能なカラープリンタやモノクロ専用のモノクロプリンタ等、機能の異なるものが含まれている場合がある。
【００２９】
クライアント５は、再印刷処理等を行う際に、プリントサーバ２に指示を発するものである。
【００３０】
次に、スキャナ１の詳細について説明する。図２は、スキャナ１の機能的な構成を示すブロック図である。
【００３１】
同図に示すように、スキャナ１は、指示入力受付部１１と画像読取部１２、属性判定部１３、印刷データ生成部１４、属性情報生成部１５、ジョブ生成部１６、ジョブ送出部１７を具備して構成される。
【００３２】
指示入力受付部１１は、ユーザ（オペレータ）からの印刷条件の入力や原稿の読み取り開始指示の入力等を受け付ける。画像読取部１２は、原稿を読み取って画像を生成する。属性判定部１３は、画像読取部１２が生成した画像から当該画像がカラーであるかモノクロであるかといった属性を判定する。
【００３３】
印刷データ生成部１４は、画像読取部１２が生成した画像から印刷データを生成する。印刷データは、原稿のページが連続し、かつ、属性判定部１３が判定した属性が同じものを１つのファイルとして格納したもので、原稿に応じた１以上の印刷データが生成される。属性情報生成部１５は、属性判定部１３が判定した属性に基づいて、印刷データ生成部１４が生成する印刷データ毎の属性情報を生成する。
【００３４】
ジョブ生成部１６は、印刷データ生成部１６が生成した印刷データと属性情報生成部１５が生成した属性情報、指示入力受付部１１が受け付けた印刷条件等に基づいて、ジョブを生成する。ジョブ送出部１７は、ジョブ生成部１６が生成したジョブをプリントサーバ２とファイルサーバ３のいずれか一方、若しくは両方に送出する。
【００３５】
ここで、スキャナ１の動作の流れを説明する。図３は、スキャナ１の動作の流れを示すフローチャートである。
【００３６】
スキャナ１は、指示入力受付部１１が原稿の読み取り開始の指示を受け付けると処理を開始し、画像読取部１２が原稿の読み取りを行って画像を生成する（ステップ１０１）。このとき、属性判定部１３が、画像読取部１２が生成した画像に基づいて当該画像の属性を判定する（ステップ１０２）。そして、原稿の最初のページに基づく画像の属性は、前ページの画像が存在しないため変化することはなく（ステップ１０３）、続いて、画像読取部１２が次のページの原稿を読み取る（ステップ１０６でＮＯ、ステップ１０１）。
【００３７】
画像読取部１２が原稿を読み取ると、同様に属性判定部１３が当該画像の属性の判定を行い（ステップ１０２）、判定した属性が前ページの属性と異なっていれば（ステップ１０３でＹＥＳ）、印刷データ生成部１６が前ページまでの印刷データを生成し（ステップ１０４）、属性情報生成部１５が対応する属性情報を生成する（ステップ１０５）。
【００３８】
スキャナ１は、このような処理を繰り返し（ステップ１０６でＮＯ）、画像読取部１２が全ての原稿の読み取りを終えると（ステップ１０６でＹＥＳ）、印刷データ生成部１６が残りのページの印刷データを生成し（ステップ１０７）、属性情報生成部１５が対応する属性情報を生成する（ステップ１０８）。そして、ジョブ生成部１６が印刷データ、属性情報、印刷条件等に基づいてジョブを生成し（ステップ１０９）、生成されたジョブをジョブ送出部１７がプリントサーバ２とファイルサーバ３のいずれか一方若しくは両方に送出し（ステップ１１０）、処理を終了する。
【００３９】
次に、プリントサーバ２の詳細について説明する。図４は、プリントサーバ２の機能的な構成を示すブロック図である。
【００４０】
同図に示すように、プリントサーバ２は、ジョブ受付部２１とデータ保存部２２、ジョブ保持部２３、属性抽出部２４、出力先情報記憶部２５、出力先決定部２６、データ送出部２７を具備して構成される。
【００４１】
ジョブ受付部２１は、スキャナ１やクライアント５が送出するジョブを受け付ける。ジョブ受付部２１が受け付けたジョブは、データ保存部２２に保存されるか、ジョブ保持部２３に保持される。また、ジョブ受付部２１が受け付けたジョブに印刷データが含まれていない場合（クライアント５からのジョブ等で、印刷データは、先に受信したジョブに含まれており、データ保存部２２に格納されている）、ジョブ受付部２１は、データ保存部２２から印刷データ等を取得してジョブ保持部２３に保持する。
【００４２】
データ保存部２２は、ジョブ受付部２１が受け付けたジョブに含まれる印刷データと対応する属性情報を保存する。ただし、データ保存部２２は、必ずしも必要なものではなく、データ保存部２２に代えてファイルサーバ３に印刷データ等を保存するようにしてもよい。
【００４３】
ジョブ保持部２３は、ジョブ受付部２１が受け付けたジョブに含まれる印刷データや属性情報等を一時的に保存する。属性抽出部２４は、ジョブ保持部２３から属性情報を取得し、対応する印刷データの属性を抽出する。
【００４４】
出力先情報記憶部２５は、出力先となるプリンタ４（４−１〜４−ｎ）のそれぞれの情報を記憶している。このプリンタ４の情報は、ネットワーク６を介して取得したものか、管理者によって入力されたものである。
【００４５】
出力先決定部２６は、属性抽出部２４が抽出した属性と出力先情報記憶部２５に記憶されているプリンタ４の情報に基づいて、プリンタ４のいずれかを出力先として決定する。データ送出部２７は、出力先決定部２６が決定した出力先に対して、ジョブ保持部２３が保持している対応する印刷データを送出する。
【００４６】
ここで、プリントサーバ２の動作の流れを説明する。図５は、プリントサーバ２の動作の流れを示すフローチャートである。
【００４７】
プリントサーバ２は、ジョブ受付部２１がジョブを受け付けると（ステップ２０１でＹＥＳ）、当該ジョブが別途印刷データを取得する必要のあるものであれば（ステップ２０２でＹＥＳ）、データ保存部２２若しくはファイルサーバ３からジョブで指定された印刷データと対応する属性情報を取得し（ステップ２０３）、これらをジョブ保持部２３に一時的に保持する（ステップ２０４）。また、ジョブ受付部２１が受け付けたジョブに印刷データ等が含まれていた場合には（ステップ２０２でＮＯ）、これらをジョブ保持部２３に一時的に保持する（ステップ２０４）。
【００４８】
続いて、属性抽出部２４が、ジョブ保持部２３に保持されている属性情報から属性を抽出し（ステップ２０５）、この抽出された属性と出力先情報記憶部２５に記憶されている出力先情報に基づいて、出力先決定部２６が印刷データの出力先を決定する（ステップ２０６）。そして、データ送出部２７が、決定された出力先に該当する印刷データを送出する。
【００４９】
このステップ２０５からステップ２０７の処理は、ジョブ保持部２３に一時的に保持された全ての印刷データを送出するまで繰り返して行われ（ステップ２０８でＮＯ）、データ送出部２７が全ての印刷データを送出すると（ステップ２０８でＹＥＳ）、プリントサーバ２は、当該ジョブに対する処理を終了する。
【００５０】
次に、上述した処理の流れを分散印刷システムを構成する各装置間で送受信されるデータの流れとして説明する。ここでは、図６に示す原稿Ｄに基づくジョブを実行する場合を説明する。
【００５１】
図６に示す原稿Ｄは、その１ページから５ページがカラー、６ページがモノクロ、７ページから２０ページがカラー、２１ページから５０ページがモノクロであるとする。このため、原稿Ｄがスキャナ１で読み取られると、１ページ目から５ページ目までに基づいて印刷データＤｃ１と対応する属性情報ｌ１、６ページ目に基づいて印刷データＤｍ２と対応する属性情報ｌ２、７ページ目から２０ページ目に基づいて印刷データＤｃ３と対応する属性情報ｌ３、２１ページ目から５０ページ目に基づいて印刷データＤｍ４と対応する属性情報ｌ４が、それぞれ生成されることとなる。
【００５２】
ここで、分散印刷システムを構成する各装置間で送受信されるデータの流れを説明する。図７は、ジョブを実行する際の各装置間で送受信されるデータの流れを示した図である。
【００５３】
さて、スキャナ１が上述した原稿Ｄを読み取ると、該原稿Ｄに基づいて生成されたジョブをプリントサーバ２に送出する（ステップ３０１）。なお、このジョブには、印刷データＤｃ１と属性情報ｌ１、印刷データＤｍ２と属性情報ｌ２、印刷データＤｃ３と属性情報ｌ３、印刷データＤｍ４と属性情報ｌ４が含まれている。
【００５４】
このジョブを受信したプリントサーバ２は、上述したような処理を行い、カラーの印刷データＤｃ１をカラー印刷が可能なプリンタ４−１に送出し（ステップ３０２）、モノクロの印刷データＤｍ２をモノクロ専用機であるプリンタ４−２に送出する（ステップ３０３）。続けて、プリントサーバ２は、カラーの印刷データＤｃ３をプリンタ４−１に送出し（ステップ３０４）、モノクロの印刷データＤｍ４をプリンタ４−２に送出して（ステップ３０５）、処理を終了する。
【００５５】
次に、スキャナ１が生成した印刷データをファイルサーバ３に保存した後に、印刷処理を実行する場合に各装置間で送受信されるデータの流れを説明する。図８は、ファイルサーバ３に保存した印刷データに基づいてジョブを実行する際の各装置間で送受信されるデータの流れを示した図である。
【００５６】
スキャナ１が上述した原稿Ｄを読み取ると、スキャナ１は、該原稿Ｄに基づいて生成されたジョブをファイルサーバ３に送出するとともに（ステップ３１１）、プリントサーバ２へもジョブを送出する（ステップ３１２）。なお、この場合には、ファイルサーバ３へ送出されたジョブには、印刷データＤｃ１と属性情報ｌ１、印刷データＤｍ２と属性情報ｌ２、印刷データＤｃ３と属性情報ｌ３、印刷データＤｍ４と属性情報ｌ４が含まれおり、プリントサーバ２へ送出されたジョブには、印刷指示のみが含まれている。
【００５７】
このジョブを受信したプリントサーバ２は、ファイルサーバ３に対して印刷データの取得要求を行い（ステップ３１３）、印刷データを取得する（ステップ３１４）。そして、上述したような処理を行い、カラーの印刷データＤｃ１をプリンタ４−１に送出し（ステップ３１５）、モノクロの印刷データＤｍ２をプリンタ４−２に送出する（ステップ３１６）。続けて、プリントサーバ２は、カラーの印刷データＤｃ３をプリンタ４−１に送出し（ステップ３１７）、モノクロの印刷データＤｍ４をプリンタ４−２に送出して（ステップ３１８）、処理を終了する。
【００５８】
次に、ファイルサーバ３に保存されている印刷データの再印刷処理を実行する場合に各装置間で送受信されるデータの流れを説明する。図９は、再印刷ジョブを実行する際の各装置間で送受信されるデータの流れを示した図である。
【００５９】
再印刷処理では、最初に、クライアント５がプリントサーバ２へジョブを送出する（ステップ３２１）。なお、このジョブには、印刷指示のみが含まれている。
【００６０】
このジョブを受信したプリントサーバ２は、ファイルサーバ３に対して印刷データの取得要求を行い（ステップ３２２）、印刷データを取得する（ステップ３２３）。そして、上述したような処理を行い、カラーの印刷データＤｃ１をプリンタ４−１に送出し（ステップ３２４）、モノクロの印刷データＤｍ２をプリンタ４−２に送出する（ステップ３２５）。続けて、プリントサーバ２は、カラーの印刷データＤｃ３をプリンタ４−１に送出し（ステップ３２６）、モノクロの印刷データＤｍ４をプリンタ４−２に送出して（ステップ３２７）、処理を終了する。
【００６１】
なお、ここでは、カラーの印刷データＤｃ１と印刷データＤｃ３をプリンタ４−１に送出し、モノクロの印刷データＤｍ２と印刷データＤｍ４をプリンタ４−２に送出する場合を説明したが、印刷データＤｃ１と印刷データＤｃ３、印刷データＤｍ２と印刷データＤｍ４をそれぞれ別のプリンタへ送出して負荷を分散させる等の処理を行うことも可能である。
【００６２】
【発明の効果】
以上説明したように、この発明によれば、画像がカラーであるかモノクロであるかといった属性を原稿の読み取り時に判定するとともに、判定した属性に基づいて属性毎の印刷データを生成して、印刷処理を行うように構成したので、印刷データに対してページ単位で属性の判定を行う必要がなく、かつ、印刷データからの属性判定よりも高速で属性の判定を行うことができるため、分散印刷を効率的に行うことが可能となる。
【００６３】
また、保存した印刷データに基づいて再印刷を行う際に、再度、属性の判定を行う必要がなく、効率よく印刷データを再利用することができる。
【図面の簡単な説明】
【図１】この発明を適用した分散印刷システムのシステム構成の概略を示した図である。
【図２】スキャナ１の機能的な構成を示すブロック図である。
【図３】スキャナ１の動作の流れを示すフローチャートである。
【図４】プリントサーバ２の機能的な構成を示すブロック図である。
【図５】プリントサーバ２の動作の流れを示すフローチャートである。
【図６】原稿Ｄに基づいて生成される印刷データの例を示した図である。
【図７】
ジョブを実行する際の各装置間で送受信されるデータの流れを示した図である
。
【図８】
ファイルサーバ３に保存した印刷データに基づいてジョブを実行する際の各装
置間で送受信されるデータの流れを示した図である。
【図９】
再印刷ジョブを実行する際の各装置間で送受信されるデータの流れを示した図
である。
【符号の説明】
１　　スキャナ
２　　プリントサーバ
３　　ファイルサーバ
４−１〜４−ｎ　　プリンタ
５　　クライアント
６　　ネットワーク
１１　　指示入力受付部
１２　　画像読取部
１３　　属性判定部
１４　　印刷データ生成部
１５　　属性情報生成部
１６　　ジョブ生成部
１７　　ジョブ送出部
２１　　ジョブ受付部
２２　　データ保存部
２３　　ジョブ保持部
２４　　属性抽出部
２５　　出力先情報記憶部
２６　　出力先決定部
２７　　データ送出部
Ｄｃ１　　印刷データ
Ｄｍ２　　印刷データ
Ｄｃ３　　印刷データ
Ｄｍ４　　印刷データ
ｌ１　　属性情報
ｌ２　　属性情報
ｌ３　　属性情報
ｌ４　　属性情報
【図１】
2004094880.tif 000003
【図２】
2004094880.tif 000004
【図３】
2004094880.tif 000005
【図４】
2004094880.tif 000006
【図５】
2004094880.tif 000007
【図６】
2004094880.tif 000008
【図７】
2004094880.tif 000009
【図８】
2004094880.tif 000010
【図９】
2004094880.tif 000011